(57)【要約】【課題】  情報の著作権保護を図りつつ、情報共有の利便性を高める。【解決手段】  音楽情報提供装置は、ネットワークに接続する接続手段と、電子音楽装置で用いるための情報であって、それぞれの情報が少なくとも公開又は非公開の公開条件と権利者に関する条件を記憶している情報を複数記憶するための記憶手段と、前記ネットワークを介してアクセスするユーザを認証する認証手段と、前記認証されたユーザに対して、該ユーザが権利者である情報については、前記公開条件にかかわらず前記情報を提供し、該ユーザが権利者で無い情報については、前記公開条件が公開である情報のみを提供する提供手段とを有する。【選択図】  図１
2007257172.tif 000002
【特許請求の範囲】
【請求項１】
ネットワークに接続する接続手段と、
電子音楽装置で用いるための情報であって、それぞれの情報が少なくとも公開又は非公開の公開条件と権利者に関する条件を記憶している情報を複数記憶するための記憶手段と、
前記ネットワークを介してアクセスするユーザを認証する認証手段と、
前記認証されたユーザに対して、該ユーザが権利者である情報については、前記公開条件にかかわらず前記情報を提供し、該ユーザが権利者で無い情報については、前記公開条件が公開である情報のみを提供する提供手段と
を有する音楽情報提供装置。
【請求項２】
前記公開条件が公開である場合には、有償公開と無償公開があり、
さらに、前記認証されたユーザに自身が権利を有さない情報でかつ公開条件が有償公開である情報を提供する際に、前記有償公開の情報提供の対価を前記認証されたユーザに課金する課金手段を有する請求項１記載の音楽情報提供装置。
【請求項３】
ネットワークに接続する接続手段と、
電子音楽装置で用いるための情報であって、それぞれの情報が少なくとも公開又は非公開の公開条件と権利者に関する条件を記憶している情報を複数記憶するための記憶手段と、
前記ネットワークを介して前記情報を送信する送信手段と、
前記送信される情報の権利者が他人である場合には、前記送信手段による送信前に、前記情報の公開条件を非公開に自動修正する修正手段と
を有する電子音楽装置。
【請求項４】
電子音楽装置で用いるための情報であって、それぞれの情報が少なくとも公開又は非公開の公開条件と権利者に関する条件を記憶している情報を複数記憶するための記憶手段を有するサーバコンピュータで実行するプログラムであって、
ネットワークに接続する接続手順と、
前記ネットワークを介してアクセスするユーザを認証する認証手順と、
前記認証されたユーザに対して、該ユーザが権利者である情報については、前記公開条件にかかわらず前記情報を提供し、該ユーザが権利者で無い情報については、前記公開条件が公開である情報のみを提供する提供手順と
を有するプログラム。
【請求項５】
電子音楽装置で用いるための情報であって、それぞれの情報が少なくとも公開又は非公開の公開条件と権利者に関する条件を記憶している情報を複数記憶するための記憶手段を有する電子音楽装置で実行するプログラムであって、
ネットワークに接続する接続手順と、
前記ネットワークを介して前記情報を送信する送信手順と、
前記送信される情報の権利者が他人である場合には、前記送信手順による送信前に、前記情報の公開条件を非公開に自動修正する修正手順と
を有するプログラム。
【発明の詳細な説明】
【技術分野】
【０００１】
本発明は、音楽情報提供装置及び電子音楽装置に関し、より詳しくは、電子音楽装置で用いる情報を保存する音楽情報提供装置と、該音楽情報提供装置に通信ネットワークを介して接続可能な電子音楽装置に関する。
【背景技術】
【０００２】
電子楽器等の電子音楽装置において用いる設定情報、音楽コンテンツ等のデータをサーバ装置上に保存しておき、ネットワークで接続された電子音楽装置から、該サーバ装置にアクセスして、前記データを取得することができるようにしたシステムが知られている（例えば特許文献１参照）。
【０００３】
【特許文献１】特開２００２-３７２９７０号公報
【発明の開示】
【発明が解決しようとする課題】
【０００４】
従来のサーバ装置では、電子音楽装置のユーザが自分のデータを、自分で保存して該保存したデータを後に取得することしか想定しておらず、第三者に対して自分のデータを公開したり、第三者のデータを取得することは考慮されていない。
【０００５】
本発明の目的は、情報の著作権保護を図りつつ、情報共有の利便性を高めることのできる音楽情報提供装置を提供することである。
【０００６】
また、本発明の他の目的は、情報の著作権保護を図りつつ、情報共有の利便性を高めることのできる電子音楽装置を提供することである。
【課題を解決するための手段】
【０００７】
本発明の一観点によれば、音楽情報提供装置は、ネットワークに接続する接続手段と、電子音楽装置で用いるための情報であって、それぞれの情報が少なくとも公開又は非公開の公開条件と権利者に関する条件を記憶している情報を複数記憶するための記憶手段と、前記ネットワークを介してアクセスするユーザを認証する認証手段と、前記認証されたユーザに対して、該ユーザが権利者である情報については、前記公開条件にかかわらず前記情報を提供し、該ユーザが権利者で無い情報については、前記公開条件が公開である情報のみを提供する提供手段とを有する。
【０００８】
また、本発明の他の観点によれば、電子音楽装置は、ネットワークに接続する接続手段と、電子音楽装置で用いるための情報であって、それぞれの情報が少なくとも公開又は非公開の公開条件と権利者に関する条件を記憶している情報を複数記憶するための記憶手段と、前記ネットワークを介して前記情報を送信する送信手段と、前記送信される情報の権利者が他人である場合には、前記送信手段による送信前に、前記情報の公開条件を非公開に自動修正する修正手段とを有する。
【発明の効果】
【０００９】
本発明によれば、情報の著作権保護を図りつつ、情報共有の利便性を高めることのできる音楽情報提供装置を提供することができる。
【００１０】
また、本発明によれば、情報の著作権保護を図りつつ、情報共有の利便性を高めることのできる電子音楽装置を提供することができる。
【発明を実施するための最良の形態】
【００１１】
図１は、本発明の実施例による音楽情報公開システム１００の構成を示すブロック図である。
【００１２】
音楽情報公開システム１００は、音楽情報提供装置（サーバ）２と、少なくとも一つの電子音楽装置（クライアント端末）１とが、通信ネットワーク（インターネット等）３（図２）を介して接続されることで構成される。
【００１３】
音楽情報提供装置（サーバ）２は、サーバコンピュータ等で構成され、認証データベース２５１、ユーザ情報データベース２５２、決済データベース２５３を保持している。また、音楽情報提供装置（サーバ）２は、個人認証部２０１、情報送受信部２２１、課金部２０２を含んで構成される。
【００１４】
電子音楽装置１は、例えば、電子楽器等の電子音楽装置及びパーソナルコンピュータ等の通信ネットワーク３に接続可能な端末であり、各種音楽コンテンツ、機器設定情報等のユーザ情報を利用可能な端末である。なお、本明細書では「ユーザ情報」とは、電子音楽装置１のユーザの個人情報ではなく、楽曲データ（自動演奏データ、デジタル音楽データ等）、楽譜データ等の音楽に関するデータである音楽コンテンツ及び電子音楽装置１の各種設定（音色、音量、効果付与、伴奏スタイル等）を自動で行うための設定情報である。
【００１５】
電子音楽装置１は、例えば、認証情報取得部１０１、ユーザ情報記憶部１２１、属性修正部１１２を含んで構成される。
【００１６】
電子音楽装置１の認証情報取得部１０１は、例えば、ＩＣカードリーダー、指紋リーダー等の認証情報取得装置２５（図２）で構成され、ユーザを特定するための認証情報を取得して通信ネットワーク３を介してサーバ１に認証情報を送信する。なお、認証情報としては、例えば、生体認証情報（指紋、虹彩、声紋、静脈パターン等）や、所有物認証情報（ＩＣカード、磁気カード、ＵＳＢキー等）のいずれか一つもしくは組み合わせを用いることができる。また、認証情報取得装置２５は、採用する認証情報の種類に応じて該認証情報を読み取り可能なものを備えるものとする。なお、認証情報としてユーザＩＤとパスワードの組み合わせを単独でもしくは上述の生体認証情報、所有物認証情報と組み合わせて用いることもできる。また、電子音楽装置１の固有の機器識別情報、記憶媒体の識別情報（メディアＩＤ）等をあわせて認証情報としても良い。
【００１７】
サーバ２の個人認証部２０１は、電子音楽装置１の認証情報取得部１０１から送信される認証情報を受信し、該受信した認証情報と認証データベース２５１に保存されている認証情報とを照合することにより、個人認証を行う。認証データベース２５１には、予めユーザの個人情報と認証情報とが対応付けられて保存されている。個人認証部２０１での個人認証が成功することにより、ユーザは情報の送受信（ダウンロード及びアップロード）を行うことができる。
【００１８】
電子音楽装置１のユーザ情報記憶部１２１は、ユーザ自身が作成したユーザ情報や、以前にダウンロードしたユーザ情報、その他の方法で取得したユーザ情報が記憶されている。各ユーザ情報には、図３を参照して後述する属性情報が記憶されている。情報の属性として、例えば、情報の無償公開、有償公開もしくは非公開を規定する公開属性、再配布の可・不可を規定する再配布属性等がある。ユーザ情報記憶部１２１は、ユーザの選択するユーザ情報を通信ネットワーク３を介して、サーバ２にアップロード（送信）することができる。なお、再配布属性が不可となっているユーザ情報はアップロードすることができない。また、ユーザが選択するユーザ情報を通信ネットワーク３を介して、サーバ２からダウンロード（受信）し、保存することができる。なお、ユーザは、ユーザ情報をアップロードする際に、属性修正部１１２により当該ユーザ情報の属性を修正することができる。例えば、ユーザ情報を無償公開、有償公開もしくは非公開とすることができる。なお、ユーザ自身が作成したユーザ情報以外のユーザ情報については、属性を変更できないようにすることが、他ユーザの権利保護のために必要である。
【００１９】
サーバ２の情報送受信部２２１は、電子音楽装置１のユーザ情報記憶部１２１から送信されるユーザ情報を受信して、個人認証部２０１から取得するユーザの個人情報（認証情報もしくはユーザを特定可能な識別子）と関連付けて、該ユーザ情報をユーザ情報データベース２５２に記憶する。ユーザ情報データベース２５２に記憶されるユーザ情報は、当該アップロードを行ったユーザが自由に閲覧、利用できる。これにより、ユーザがどこにいても、サーバ２にアクセス可能な環境である限り、登録したユーザ情報を利用可能である。例えば、他人の機材（電子音楽装置）を借りているときなどにもサーバ２にアクセスすることにより、ユーザ情報を利用することができる。なお、ユーザが公開属性を無償公開にした場合は、当該ユーザ情報は他のユーザにも無償で利用可能となる。また、有償公開とした場合は、他のユーザは当該ユーザ情報の対価を支払い利用可能となる。
【００２０】
また、サーバ２の情報送受信部２２１は、ユーザのダウンロード要求に従い、当該ユーザの選択したユーザ情報をユーザ情報データベース２５２にから読み出し、通信ネットワーク３を介して電子音楽装置１に送信する。ユーザ自身が以前に登録したユーザ情報及び他のユーザが属性を無償公開としたユーザ情報については、ユーザは自由に（課金無しで）ダウンロードすることができる。ユーザがダウンロード要求を行ったユーザ情報が他のユーザの情報であり有償公開となっている場合は、課金部２０２により当該ダウンロードに対して所定金額の課金処理を行う。課金部２０２は個人認証部２０１から取得するユーザの個人情報（認証情報もしくはユーザを特定可能な識別子）に基づき、決済データベース２５３を参照して、ダウンロードしたユーザに対して所定金額を課金する。また、同時に、当該ダウンロードされたユーザ情報の権利者（著作権者等）に対しては、ダウンロードしたユーザに対する所定金額の課金の少なくとも一部が分配される。課金額の分配は、例えば、ダウンロードされるユーザ情報に含まれる個人情報（認証情報もしくはユーザを特定可能な識別子）に基づき、決済データベース２５３を参照して、当該個人情報で表されるユーザのアカウントに対して行う。決済データベース２５３は、各ユーザに対して課金又は分配処理を行うためのアカウント情報を登録するデータベースである。各ユーザに対する課金又は分配処理は、例えば、クレジットカード、ＩＣカード等を用いた電子決済等の通信ネットワーク上で決済可能な決済手段を用いて行う。
【００２１】
図２は、本発明の実施例による電子音楽装置１のハードウェア構成を表すブロック図である。
【００２２】
電子音楽装置１のバス６には、ＲＡＭ７、ＲＯＭ８、ＣＰＵ９、外部記憶装置１５、検出回路１１、表示回路１３、通信インターフェイス（Ｉ／Ｆ）２１、認証情報取得装置２５が接続される。
【００２３】
ＲＡＭ７は、バッファ領域、フラグ、レジスタ、各種パラメータ等を記憶するＣＰＵ９のワーキングエリアを有する。
【００２４】
ＲＯＭ８には、各種パラメータ及び制御プログラム、又は本実施例を実現するためのプログラム等を記憶することができる。この場合、プログラム等を重ねて、外部記憶装置１５に記憶する必要は無い。
【００２５】
ＣＰＵ９は、ＲＯＭ８又は、外部記憶装置１５に記憶されている制御プログラム等に従い、演算又は制御を行う。タイマ１０は、ＣＰＵ９に接続されており、基本クロック信号、割り込み処理タイミング等をＣＰＵ９に供給する。
【００２６】
ユーザは、検出回路１１に接続される入力操作子１２を用いて、各種入力及び設定、選択をすることができる。入力操作子１２は、例えば、文字入力用キーボード、マウス、スイッチ、パッド、フェーダ、スライダ、ロータリーエンコーダ、ジョイスティック、ジョグシャトル等、ユーザの入力に応じた信号を出力できるものならどのようなものでもよい。また、入力操作子１２は、マウス等の他の操作子を用いて操作するディスプレイ１４上に表示されるソフトスイッチ等でもよい。
【００２７】
表示回路１３は、ディスプレイ１４に接続され、各種情報をディスプレイ１４に表示することができる。ユーザは、このディスプレイ１４に表示される情報を参照して、各種入力及び設定を行う。また、ディスプレイ１４は、外部の表示装置を接続することにより構成してもよい。
【００２８】
外部記憶装置１５には、図３に示すユーザ情報が記憶されている。外部記憶装置１５は、外部記憶装置用のインターフェイスを含み、そのインターフェイスを介してバス６に接続される。外部記憶装置１５は、例えばフレキシブルディスク又はフロッピー（登録商標）ディスクドライブ（ＦＤＤ）、ハードディスクドライブ（ＨＤＤ）、光磁気ディスク（ＭＯ）ドライブ、ＣＤ−ＲＯＭ（コンパクトディスク−リードオンリィメモリ）ドライブ、ＤＶＤ（Ｄｉｇｉｔａｌ Ｖｅｒｓａｔｉｌｅ Ｄｉｓｃ）ドライブ、半導体メモリ等である。
【００２９】
外部記憶装置１５として、ハードディスクドライブ（ＨＤＤ）が接続されている場合には、制御プログラム又は本実施例を実現するためのプログラム等は、外部記憶装置１５内のハードディスク（ＨＤＤ）に記憶させることもできる。ハードディスクからＲＡＭ７に制御プログラム等を読み出すことにより、ＲＯＭ８に制御プログラム等を記憶させている場合と同様の動作をＣＰＵ９にさせることができる。このようにすると、制御プログラム等の追加やバージョンアップ等が容易に行える。
【００３０】
また、ハードディスクドライブに加えて、ＣＤ−ＲＯＭドライブが接続されている場合には、制御プログラム又は本実施例を実現するためのプログラム等をＣＤ−ＲＯＭに記憶させることもできる。ＣＤ−ＲＯＭからハードディスクに制御プログラムや本実施例を実現するためのプログラム等をコピーすることができる。制御プログラム等の新規インストールやバージョンアップを容易に行うことができる。
【００３１】
ＭＩＤＩインターフェイス（ＭＩＤＩ  Ｉ／Ｆ）１６は、ＭＩＤＩ機器１７、その他の楽器、音響機器、コンピュータ等に接続できるものであり、少なくともＭＩＤＩ信号を送受信できるものである。
【００３２】
ＭＩＤＩ機器１７は、ＭＩＤＩインターフェイス１６に接続される音響機器及び楽器等である。
【００３３】
音源回路１８は、外部記憶装置１５、ＲＯＭ８又はＲＡＭ７等に記録された伴奏パターンデータ、演奏データ若しくは演奏操作子２２又はＭＩＤＩインターフェイス１６に接続されたＭＩＤＩ機器１７等から供給される演奏信号、ＭＩＤＩ信号等に応じて楽音信号を生成し、効果回路１９を介して、サウンドシステム２０に供給する。
【００３４】
効果回路１９は、音源回路１８から供給される楽音信号に対して、各種音楽的効果を付与する。サウンドシステム２０は、Ｄ／Ａ変換器及びスピーカを含み、供給されるデジタル形式の楽音信号をアナログ形式に変換し、発音する。
【００３５】
通信インターフェイス２１は、ＬＡＮ（ローカルエリアネットワーク）及びインターネット等の通信ネットワーク３に接続可能であり、該通信ネットワーク３を介して、サーバ２及び他の電子音楽装置１と相互に接続可能である。
【００３６】
なお、通信インターフェイス２１及び通信ネットワーク３は、有線のものに限らず無線でもよい。また双方を備えていてもよい。また、通信インターフェイス２１は、内蔵のものでも良いし、ＰＣカード等の着脱可能なものでも良い。
【００３７】
演奏操作子２２は、検出回路１１に接続され、ユーザの演奏動作に従い、演奏情報を供給する。演奏操作子２２として、演奏用の鍵盤、パッド等を用いることができる。なお、演奏操作子２２はこれらに限らず、ユーザが演奏情報を入力できるものであればどのようなものでもよい。
【００３８】
認証情報取得装置２５は、ユーザを特定するための認証情報を取得可能な装置である。例えば、生体認証情報（指紋、虹彩、声紋、静脈パターン等）や、所有物認証情報（ＩＣカード、磁気カード、ＵＳＢキー等）の少なくとも一つを読み取り可能なリーダーである。なお、認証情報としてユーザＩＤ及びパスワードの組み合わせのみを用いる場合は、認証情報取得装置２５を省略しても良い。
【００３９】
サーバ２は、汎用のコンピュータに本実施例を実現するためのソフトウェアプログラムを実行させることで実現可能である。また、上述した電子音楽装置１と同様の構成により実現することもできる。なお、その場合には、不要な構成を適宜省略することができる。例えば、ＭＩＤＩインターフェイス（ＭＩＤＩ  Ｉ／Ｆ）１６、音源回路１８、効果回路１９、サウンドシステム２０、演奏操作子２２、認証情報取得装置２５等を省略する。
【００４０】
図３は、本発明の実施例による電子音楽装置１のユーザ情報記憶部１２１に記憶されるユーザ情報の属性を表す概念図である。
【００４１】
ユーザ情報（１〜ｎ）には、それぞれのファイル種類に対応した実体コンテンツ（自動演奏データ、楽曲データ、楽譜データ、機器設定情報等）に加えて、図に示すようにファイル名（ユーザ情報１〜ｎ）、権利者、公開条件、再配布条件を記録している。
【００４２】
情報の権利者とは、例えば、当該情報の著作権者や、著作権の発生しない情報においては製作者等であり、少なくとも当該情報の公開及び配布に関する権利を有するものである。図中、「Ａ」は、電子音楽装置１のユーザが当該電子音楽装置１のユーザ情報記憶部１２１に記憶されているユーザ情報の権利者であることをあらわし、その他の「Ｂ〜Ｅ」は、他のユーザが権利者であることを示している。
【００４３】
自分自身が権利者であるユーザ情報に関しては、公開条件を「非公開」、「有償公開」、「無償公開」のいずれかに、ユーザ自身が設定することができる。「非公開」は、サーバ２に登録（アップロード）した場合でも、当該ユーザのみが閲覧及びダウンロードできる属性であり、「有償公開」は、当該ユーザに加え所定金額の使用料を支払うことにより他のユーザも閲覧及びダウンロード可能な属性であり、「無償公開」は、当該ユーザに加え無償で他のユーザも閲覧及びダウンロード可能な属性である。
また、「有償公開」、又は「無償公開」の属性に設定したユーザ情報に関しては、他のユーザがダウンロードした場合に、当該他のユーザが再度サーバ２に当該情報をアップロードして第三のユーザに公開することを許容するか否かを「可」、「不可」の再配布条件として設定することができる。
【００４４】
再配布条件が「不可」の場合（例えば、図中のユーザ情報１、２、４、６、８）、他のユーザがダウンロードしたユーザ情報の公開条件属性は自動的に「非公開」に設定（修正）される。これにより、再配布「不可」のユーザ情報をダウンロードした場合でも、当該他のユーザは自身のためにだけはサーバ２に当該情報をアップロードすることができる。
【００４５】
例えば、公開条件として「公開」の属性を持つ他のユーザが権利者であるユーザ情報（例えば、図中のユーザ情報８）を電子音楽装置１のユーザがダウンロードした場合は、図に示すように公開条件は自動的に「非公開」に修正され、再配布条件も「不可」に修正される。このようにすることで、他のユーザの権利を保護することができる。
【００４６】
また、再配布条件が「可」の場合（例えば、図中のユーザ情報３、５、７、９）、他人のデータをダウンロードした他のユーザが、「公開」属性で当該ユーザ情報をアップロードすることができる。これにより、当該ユーザ情報の権利者は、自分が製作した（権利を有する）ユーザ情報を広く流布させることが可能となり、特に「有償公開」である場合（例えば、図中のユーザ情報３、７）には、自分のみが公開する場合に比べてより多くの分配金の取得を期待することができる。
【００４７】
自分自身が権利者であるユーザ情報（例えば、図中のユーザ情報１〜５）は、自分で情報の内容及び属性の修正をすることができる。例えば、製作途中のコンテンツデータを「非公開」でアップロードしておき、その後完成した場合には「公開」に修正することができる。一方、他人が権利者であるユーザ情報の場合（例えば、図中のユーザ情報６〜９）は、その情報の内容や属性は上述の自動修正の場合を除き修正することができない。ただし、属性として別途「改変条件」を含ませることとし、該情報に「改変可能」属性が含まれている場合にはこの限りではない。
【００４８】
図４は、本発明の実施例によるユーザ情報のダウンロード処理を表すフローチャートである。図中、ステップＳＡ１〜ステップＳＡ１１はサーバ２側での処理であり、ステップＳＡ１２〜ステップＳＡ２０は、クライアント（電子音楽装置）１側での処理である。また、図中点線の矢印は通信ネットワーク３（図２）を介したデータの流れを表す。
【００４９】
ステップＳＡ１で、サーバ２側の処理をスタートし、ステップＳＡ２では、後述するステップＳＡ１３でクライアント１から送信される認証情報を通信ネットワーク３を介して受信する。受信した認証情報を例えば、図１を参照して説明したように、認証データベース２５１内の情報と照合することによりユーザの個人認証を行う。その後、ステップＳＡ３では、ステップＳＡ２での認証結果を判断する。ステップＳＡ２での認証が成功した場合（認証データベース２５１内の情報と受信した認証情報が合致した場合）は、ＹＥＳの矢印で示すステップＳＡ４に進み、認証が不成功であった場合には、ＮＯの矢印で示すステップＳＡ１０に進み、認証されなかった旨をクライアント１（ユーザ）に通知して、ステップＳＡ１１に進みサーバ２側での処理を終了する。
【００５０】
ステップＳＡ４では、認証されたユーザに対応するフォルダ画面データを生成して、通信ネットワーク３を介してクライアント１に送信する。
【００５１】
なお、フォルダ画面データは、例えば、図５に示すフォルダ画面ＦＳをクライアント１のディスプレイ１４（図２）に表示させるためのデータである。
【００５２】
フォルダ画面ＦＳは、サーバ２に登録されているユーザに対応するフォルダが表示されている。この例では、ユーザＡがサーバにアクセスし、認証に成功した場合に送信されるフォルダ画面ＦＳを表している。認証されたユーザＡに対応するフォルダ（ユーザＡがアップロードしたユーザ情報が格納されているフォルダ）は、他のユーザのフォルダに比べて強調表示されている。また、例えば、ユーザＦのフォルダは、他のフォルダよりも弱く（図中点線で）表示されているが、これは、ユーザＦの登録したユーザ情報が全て非公開属性を持っていることを示す。なお、この例では、全ての登録ユーザ情報が非公開である場合に弱く表示するようにしたが、当該ユーザのフォルダそのものを他のユーザから見えなくするようにしても良い。また、自分のフォルダを強調表示するようにしたが、強調表示の形態は他のフォルダと区別がつくものであれば、どのようなものでも良い。また、この例では、フォルダアイコンを表示したが、単なるリスト表示等、他の表示形態でフォルダを表示しても良い。
【００５３】
ステップＳＡ５では、後述するステップＳＡ１５でクライアント１から送信される情報リスト要求に応じて、認証されたユーザに対応するユーザ情報又はその他のユーザに対応する情報を、例えば、図１のユーザ情報データベース２５２から抽出して、該抽出したユーザ情報をリスト表示するための情報リスト画面データを通信ネットワーク３を介してクライアント１に送信する。
【００５４】
ここでクライアントに送信される情報リストは、後述するステップＳＡ１５でクライアント１から送信される情報リスト要求で要求される情報リストが自己のフォルダに関するものか他のユーザのフォルダに関するものかで異なる。
【００５５】
図６は、本発明の実施例による情報リストＩＬ１の一例を示す概念図である。この情報リストＩＬ１は、自己の登録したユーザ情報を格納するフォルダの閲覧要求に対してサーバ２からクライアント１に送信されるものである。具体的には、ユーザＡとして認証したユーザがユーザＡのフォルダを閲覧する場合の表示例である。ユーザＡは自身が登録（アップロード）した情報であるので、当該フォルダ内に格納されている全てのユーザ情報が閲覧可能であり、所望のユーザ情報を１ないし複数、操作子の操作で選択してダウンロードの指示を行い、選択したユーザ情報を通信ネットワーク３を介してサーバ２からクライアント１にダウンロードすることが出来る。
【００５６】
図７は、本発明の実施例による情報リストＩＬ２の一例を示す概念図である。この情報リストＩＬ２は、他のユーザが登録したユーザ情報を格納するフォルダの閲覧要求に対してサーバ２からクライアント１に送信されるものである。具体的には、ユーザＢ〜Ｆのいずれかとして認証したユーザがユーザＡのフォルダを閲覧する場合の表示例である。
【００５７】
ユーザＢ〜ＦがユーザＡのフォルダ内容を閲覧する場合は、図６に示す情報リストＩL１と比較して明らかなように、公開条件が「非公開」ではないもの、すなわち「有償公開」若しくは「無償公開」となっているものだけが表示される。この場合には、表示されているユーザ情報の中から所望のユーザ情報を１ないし複数、操作子の操作で選択してダウンロードの指示を行い、選択したユーザ情報を通信ネットワーク３を介してサーバ２からクライアント１にダウンロードすることが出来る。なお、「有償公開」となっているものに関しては、後述するステップＳＡ８で所定金額の使用料等が課金される。
【００５８】
図４に戻り、ステップＳＡ６では、後述するステップＳＡ１７で送信されるダウンロード要求の対象となるユーザ情報がステップＳＡ２で認証されたユーザが権利を有する情報であるか否かを判断する。これは、ダウンロード要求の対象となるユーザ情報をユーザ情報データベース２５２から抽出して、該抽出したユーザ情報内に記憶されている権利者とステップＳＡ２で認証されたユーザの個人情報とを照合することで行われる。ダウンロード要求の対象となるユーザ情報が認証されたユーザの情報である場合は、ＹＥＳの矢印で示すステップＳＡ９に進み、それ以外の場合は、ＮＯの矢印で示すステップＳＡ７に進む。
【００５９】
ステップＳＡ７では、後述するステップＳＡ１７で送信されるダウンロード要求の対象となるユーザ情報の公開条件が「有償公開」か否かを判断する。これは、ダウンロード要求の対象となるユーザ情報をユーザ情報データベース２５２から抽出して、該抽出したユーザ情報内に記憶されている公開条件属性を確認することで行われる。有償公開である場合は、ＹＥＳの矢印で示すステップＳＡ８に進み、それ以外の場合は、ＮＯの矢印で示すステップＳＡ９に進む。
【００６０】
ステップＳＡ８では、認証されたユーザに対して、後述するステップＳＡ１７で送信されるダウンロード要求の対象となるユーザ情報のダウンロードに対する対価を課金する。ここでの課金処理は、例えば、図１を参照して説明したように、ステップＳＡ２で取得したユーザの個人情報（認証情報もしくはユーザを特定可能な識別子）に基づき、決済データベース２５３を参照して、ダウンロードしたユーザに対して所定金額を課金する。また、同時に、当該ダウンロードされたユーザ情報の権利者（著作権者等）に対しては、ダウンロードしたユーザに対する所定金額の課金の少なくとも一部が分配される。なお、課金処理については、周知の技術を用いることが出来る。
【００６１】
ステップＳＡ９では、後述するステップＳＡ１７で送信されるダウンロード要求の対象となるユーザ情報をユーザ情報データベース２５２から読み出して、通信ネットワーク３を介してクライアント１に送信する。その後、ステップＳＡ１１に進みサーバ２側での処理を終了する。
【００６２】
ステップＳＡ１２で、クライアント１側の処理を開始し、ステップＳＡ１３では、認証情報を取得して通信ネットワーク３を介してサーバ２に送信する。認証情報の取得は、例えば、図１及び図２を参照して説明したように認証情報取得装置２５を用いて行う。
【００６３】
ステップＳＡ１４では、ステップＳＡ４でサーバ２から送信されるフォルダ画面データを受信して、該受信データに基づき、図２のディスプレイ１４に例えば、図５に示すフォルダ画面ＦＳを表示する。
【００６４】
ステップＳＡ１５では、ユーザがディスプレイ１４に表示されるフォルダ画面ＦＳを参照して、操作子１２等を用いて選択する各ユーザに対応するフォルダに格納されているユーザ情報の情報リストＩＬ１（又はＩＬ２）をサーバ２に対して要求する。
【００６５】
ステップＳＡ１６では、ステップＳＡ５でサーバ２から送信される情報リストＩＬ１（又はＩＬ２）を受信して、ディスプレイ１４に表示する。ステップＳＡ１５においてユーザが自身のユーザフォルダを選択した場合は、ここで受信して表示する情報リストは情報リストＩＬ１に相当するものであり、他のユーザのユーザフォルダを選択した場合は、情報リストＩＬ２に相当するものである。
【００６６】
ステップＳＡ１７では、ディスプレイ１４に表示される情報リストＩＬ１（又はＩＬ２）を参照して、ダウンロードするユーザ情報を１ないし複数選択し、当該選択されたユーザ情報のダウンロード要求をサーバ２に送信する。
【００６７】
ステップＳＡ１８では、ステップＳＡ９でサーバ２から送信されるユーザ情報を受信して、例えば、外部記憶装置１５等に保存する。
【００６８】
ステップＳＡ１９では、ステップＳＡ１８で受信・保存したユーザ情報の属性を必要に応じて自動修正する。ここで、自動修正の対象となるのは、例えば、前述したように、他者が権利を有し、かつ、再配布条件の属性が「不可」となっているユーザ情報等であり、この場合、公開条件の属性を「非公開」に自動修正する。その後、ステップＳＡ２０に進み、クライアント１側での処理を終了する。
【００６９】
なお、本実施例では、クライアント１側の処理であるステップＳＡ１９で、属性の自動修正を行うようにしているが、スッテップＳＡ９の送信処理の前に、属性をサーバ２側で修正するようにしても良い。
【００７０】
図８は、本発明の実施例によるユーザ情報のアップロード処理を表すフローチャートである。図中、ステップＳＢ１〜ステップＳＢ６はサーバ２側での処理であり、ステップＳＢ７〜ステップＳＢ１１は、クライアント（電子音楽装置）１側での処理である。また、図中点線の矢印は通信ネットワーク３（図２）を介したデータの流れを表す。
【００７１】
サーバ２側の処理におけるステップＳＢ１〜ステップＳＢ３及びステップＳＢ５は、図４のステップＳＡ１〜ステップＳＡ３及びステップＳＡ１０と同様であるので、その説明を省略する。
【００７２】
ユーザ認証を成功裏に終えた後、ステップＳＢ４では、後述するステップＳＢ１０でクライアント１から通信ネットワーク３を介して送信されるユーザ情報を受信し、該受信したユーザ情報を認証されたユーザに対応付けて、例えば、図１のユーザ情報データベース２５２に登録（保存）する。その後、ステップＳＢ６に進みサーバ２側での処理を終了する。
【００７３】
ステップＳＢ７で、クライアント１側の処理を開始し、ステップＳＢ８では、必要に応じてクライアント１に保存されている任意のユーザ情報の内容及び属性を修正する。なお、新たにユーザ情報を作成しても良い。
【００７４】
ステップＳＢ９では、認証情報を取得して通信ネットワーク３を介してサーバ２に送信する。認証情報の取得は、例えば、図１及び図２を参照して説明したように認証情報取得装置２５を用いて行う。
【００７５】
ステップＳＢ１０では、アップロードするユーザ情報を選択して、サーバ２に通信ネットワーク３を介して送信する。その後、ステップＳＢ１１に進み、クライアント側の処理を終了する。
【００７６】
以上、本発明の実施例によれば、サーバ２は、電子音楽装置１で用いるための公開又は非公開のユーザ情報をユーザごとに保持し、アクセスしてきたユーザに応じて公開及び非公開のユーザ情報の双方を提供するか、公開のユーザ情報のみを提供するかを制御することが出来る。これにより、ユーザ自身の利便性と他者に対する情報の保護を両立することが出来る。
【００７７】
また、本発明の実施例によれば、サーバ２で公開するユーザ情報を無償公開又は有償公開とすることができる。有償公開とした場合には、アクセスしたユーザに応じて課金処理を行うか否かを決定することが出来る。
【００７８】
さらに、本発明の実施例によれば、電子音楽装置１は、サーバ２に対してユーザ情報を送信する際に、当該ユーザ情報が他者が権利を有する情報であった場合に、当該ユーザ情報の公開属性を非公開としてサーバ２に送信する。これにより、他者に対する情報の保護が確実に行える。
【００７９】
なお、上述の実施例では、電子音楽装置１における属性の自動修正は、ユーザ情報をダウンロードした時点で行ったが、サーバ２にユーザ情報をアップロードする際に行うようにしても良いし、ダウンロードからアップロードまでの任意の時点で行うようにしても良い。
【００８０】
また、上述の実施例では、電子音楽装置１においてユーザ情報をダウンロードし際に、権利者と再配布条件の二つに基づいてユーザ情報をアップロードする際の公開条件を決定するようにしたが、どちらか一方の属性に基づき公開条件を自動修正するようにしても良い。すなわち、他者のユーザ情報であれば、無条件に非公開としても良いし、自他を問わずに再配布条件のみに基づき公開非公開を決定するようにしても良い。
【００８１】
以上実施例に沿って本発明を説明したが、本発明はこれらに制限されるものではない。例えば、種々の変更、改良、組み合わせ等が可能なことは当業者に自明であろう。
【図面の簡単な説明】
【００８２】
【図１】本発明の実施例による音楽情報公開システム１００の構成を示すブロック図である。
【図２】本発明の実施例による電子音楽装置１のハードウェア構成を表すブロック図である。
【図３】本発明の実施例による電子音楽装置１のユーザ情報記憶部１２１に記憶されるユーザ情報の属性を表す概念図である。
【図４】本発明の実施例によるユーザ情報のダウンロード処理を表すフローチャートである。
【図５】本発明の実施例によるフォルダ画面ＦＳの一例を示す概念図である。
【図６】本発明の実施例による情報リストＩＬ１の一例を示す概念図である。
【図７】本発明の実施例による情報リストＩＬ２の一例を示す概念図である。
【図８】本発明の実施例によるユーザ情報のアップロード処理を表すフローチャートである。
【符号の説明】
【００８３】
１…電子音楽装置、２…サーバ、３…通信ネットワーク、６…バス、７…ＲＡＭ、８…ＲＯＭ、９…ＣＰＵ、１０…タイマ、１１…検出回路、１２…設定操作子、１３…表示回路、１４…ディスプレイ、１５…外部記憶装置、１６…ＭＩＤＩ  Ｉ／Ｆ、１７…ＭＩＤＩ機器、１８…音源回路、１９…効果回路、２０…サウンドシステム、２１…通信Ｉ／Ｆ、２２…演奏操作子、２５…認証情報取得装置、１０１…認証情報取得部、１１２…属性修正部、１２１…ユーザ情報記憶部、２０１…個人認証部、２０２…課金部、２２１…情報送受信部、２５１…認証データベース、２５２…ユーザ情報データベース、２５３…決済データベース
【図１】
2007257172.tif 000003
【図２】
2007257172.tif 000004
【図３】
2007257172.tif 000005
【図４】
2007257172.tif 000006
【図５】
2007257172.tif 000007
【図６】
2007257172.tif 000008
【図７】
2007257172.tif 000009
【図８】
2007257172.tif 000010